(57)【要約】【課題】簡単な操作により確実に音声認識処理の開始と停止を制御することを可能にする。【解決手段】音声認識開始要求受理部１４は、音声認識処理が実行されていない時に音声認識制御ボタン５から入力された指示を、音声認識処理の開始要求として受理する。制御部１０は、この受理された開始要求に応じて音声認識処理を開始させる。また、音声認識中断要求受理部１６は、音声認識処理を実行している時に音声認識制御ボタン５から入力された指示を、音声認識処理の停止要求として受理する。制御部１０は、この受理された停止要求に応じて音声認識処理を停止させる。【選択図】    図２
2004233794.tif 000002
【特許請求の範囲】
【請求項１】
入力された音声に対して音声認識処理を行う音声認識装置において、
音声認識処理を制御する指示を入力するための指示入力手段と、
前記音声認識処理が実行されていない時に前記指示入力手段から入力された指示を、音声認識処理の開始要求として受理する音声認識開始要求受理手段と、
前記音声認識開始要求受理手段によって受理された開始要求に応じて音声認識処理を開始させる第１の制御手段と、
前記第１の制御手段によって開始された音声認識処理を実行している時に前記指示入力手段から入力された指示を、音声認識処理の停止要求として受理する音声認識停止要求受理手段と、
前記音声認識停止要求受理手段によって受理された停止要求に応じて音声認識処理を停止させる第２の制御手段と
を具備したことを特徴とする音声認識装置。
【請求項２】
前記音声認識開始要求受理手段は、
前記指示入力手段から予め定められた時間、継続して指示が入力されている場合に開始要求を受理することを特徴とする請求項１記載の音声認識装置。
【請求項３】
前記第１の制御手段によって音声認識処理が開始されたことを通知する通知手段を具備したことを特徴とする請求項１に記載の音声認識装置。
【請求項４】
前記通知手段は、音声によって通知することを特徴とする請求項３記載の音声認識装置。
【請求項５】
前記通知手段は、表示によって通知することを特徴とする請求項３記載の音声認識装置。
【請求項６】
入力された音声に対して音声認識処理を行う音声認識装置において、
前記音声認識処理以外の処理を実行する処理手段と、
前記処理手段による処理の実行を指示する処理実行指示入力手段と、
前記音声認識処理が実行されている時に前記処理実行指示入力手段から入力された指示を、音声認識処理の停止要求として受理する音声認識停止要求受理手段と、
前記音声認識停止要求受理手段によって受理された停止要求に応じて音声認識処理を停止させる制御手段と
を具備したことを特徴とする音声認識装置。
【請求項７】
入力された音声に対して音声認識処理を行う音声認識方法において、
音声認識処理を制御する指示を前記音声認識処理が実行されていない時に入力した場合に、前記指示を音声認識処理の開始要求として受理して音声認識処理を開始させ、
音声認識処理を制御する指示を前記音声認識処理が実行されている時に入力した場合に、前記指示を音声認識処理の停止要求として受理して音声認識処理を停止させることを特徴とする音声認識方法。
【請求項８】
入力された音声に対して音声認識処理を行う音声認識方法において、
音声認識処理以外の処理を実行する指示を前記音声認識処理が実行されている時に入力された場合に、前記指示を音声認識処理の停止要求として受理し、
この受理された停止要求に応じて音声認識処理を停止させることを特徴とする音声認識装置。
【発明の詳細な説明】
【０００１】
【発明の属する技術分野】
本発明は、入力された音声を認識する音声認識装置、及び音声認識方法に関する。
【０００２】
【従来の技術】
従来、動作制御するためのコマンド（操作命令）を音声によって入力する装置として、例えばオーディオプレーヤとヘッドホンをワイヤレスで接続する音楽再生装置がある（例えば、特許文献１）。
【０００３】
音楽再生装置は、ヘッドホンをオーディオプレーヤのリモコンとして動作させるために、ヘッドホンのマイクと音声認識技術を利用する。ヘッドホンをリモコンとして動作させる場合には、「再生」「次の曲」など予め定められた操作命令（コマンド）を発声してマイクから入力し、この入力された音声データをオーディオプレーヤへ送信する。オーディオプレーヤでは、ヘッドホンから送られてくる音声データを音声コマンド解釈部において解釈して、解釈した内容に従ってプレーヤ動作を制御する。
【０００４】
一般に、ユーザ操作による音声認識開始要求に基いて音声認識処理を行う方法として、例えばボタンプッシュ型やプッシュトーク型の音声認識がある。
【０００５】
ボタンプッシュ型の音声認識は、例えば市販されているカーナビゲーションシステムなどに採用されているもので、ユーザによって音声認識処理開始ボタンを押下させてから発声させて、入力された音声について音声認識処理を実行する方法である。この方法では、音声認識処理を停止させるためには、音声認識処理開始ボタンとは別に設けられた音声認識停止ボタンを押下させる。
【０００６】
また、プッシュトーク型の音声認識は、ユーザによって音声入力する間、ボタンを押下し続けさせて、ボタンが押下されている間に入力される音声について音声認識を実行する方法である。この方法では、ボタンの押下が停止された時点で音声認識処理を停止する。
【０００７】
【特許文献１】
特開２００２−１１２３８３号公報（図９、段落００４６乃至００４９）
【０００８】
【発明が解決しようとする課題】
このように従来では、音声認識処理（音声入力）の開始と停止の指示をボタン操作によって入力していた。
【０００９】
ところで、音声認識装置をヘッドホン（例えば特許文献１）などの持ち運び可能なポータブル機器に実装する場合、機器の寸法や性能上の制約からボタンなどのユーザインタフェースの実装が限られてしまう。従って、音声認識処理（音声入力）の開始及び音声認識処理の停止を指示するためのボタンを実装することが困難な場合がある。
【００１０】
また、音声認識装置をヘッドホンとして構成してボタンを実装したとしても、スピーカが収納される本体ケース（ヘッドホンの耳に当てる部分）にボタンを実装することになる。この場合、ボタンの実装位置によってはユーザの視界に入らないことがあり、手探りでボタンの操作する必要がある。従って、ユーザの誤操作を招きやすいというおそれがある。
【００１１】
さらに、ボタン操作ができたとしても、ボタンから入力された指示に応じて音声認識処理が起動され、入力される音声に対して正しく音声認識できる状態となったことをユーザが確認できず、発声開始のタイミングを誤ってしまうおそれがあった。特に、プッシュトーク型の音声認識の場合には、ボタンを押した後に発声を行うことが適切な使用法とされているが、実際にはユーザはボタンを押す直前、またはボタンを押すと同時に発声を開始してしまう場合がある。こうした場合には、音声認識処理によって正しくユーザが発声した音声を認識できなくなってしまう。
【００１２】
本発明は前記のような事情を考慮してなされたもので、簡単な操作により確実に音声認識処理の開始と停止を制御することが可能な音声認識装置、及び音声認識方法を提供することを目的とする。
【００１３】
【課題を解決するための手段】
本発明は、入力された音声に対して音声認識処理を行う音声認識装置において、音声認識処理を制御する指示を入力するための指示入力手段と、前記音声認識処理が実行されていない時に前記指示入力手段から入力された指示を、音声認識処理の開始要求として受理する音声認識開始要求受理手段と、前記音声認識開始要求受理手段によって受理された開始要求に応じて音声認識処理を開始させる第１の制御手段と、前記第１の制御手段によって開始された音声認識処理を実行している時に前記指示入力手段から入力された指示を、音声認識処理の停止要求として受理する音声認識停止要求受理手段と、前記音声認識停止要求受理手段によって受理された停止要求に応じて音声認識処理を停止させる第２の制御手段とから構成される。
【００１４】
また本発明は、入力された音声に対して音声認識処理を行う音声認識装置において、前記音声認識処理以外の処理を実行する処理手段と、前記処理手段による処理の実行を指示する処理実行指示入力手段と、前記音声認識処理が実行されている時に前記処理実行指示入力手段から入力された指示を、音声認識処理の停止要求として受理する音声認識停止要求受理手段と、前記音声認識停止要求受理手段によって受理された停止要求に応じて音声認識処理を停止させる制御手段とから構成される。
【００１５】
【発明の実施の形態】
以下、図面を参照して本発明の実施の形態について説明する。
図１は本実施形態における音声認識装置をヘッドセット１として構成した場合の外観構成の一例を示す図である。図１は、ヘッドセット１が人の頭部に装着された状態を示している。
【００１６】
ヘッドセット１は、右側用と左側用のそれぞれに対応して設けられた２つのスピーカユニット２が、例えば円形状のケース本体にそれぞれ収納されており、２つの本体ケースが人の頭部の形状に合わせて湾曲している連結部材によって結合されている。連結部材内には、左右両側の本体ケースに設けられた各種部品などを接続する線路なども収納されている。
【００１７】
左側用のスピーカユニット２を収納する本体ケースには、先端部にマイクロホン３が装着されたマイク支持部材が装着されている。マイク支持部材は、先端部のマイクロホン３がヘッドセット１が装着されたときに、口の近辺に位置する長さ及び形状に構成されている。
【００１８】
右側用のスピーカユニット２を収納する本体ケースには、装置の電源をオン／オフするための電源スイッチ４、音声認識処理を制御する指示を入力するための音声認識制御ボタン５が設けられている。本実施形態のヘッドセット１（音声認識装置）では、１つの音声認識制御ボタン５から入力される指示により、音声認識処理の開始と停止とが制御される。
【００１９】
また、左側用のスピーカユニット２を収納する本体ケースには、音声認識処理が開始されたことを例えば点滅によりユーザに通知するためのＬＥＤ（Ｌｉｇｈｔ  Ｅｍｉｔｔｉｎｇ  Ｄｉｏｄｅ）６が設けられている。
【００２０】
また、左右両側の本体ケースを結合する連結部材には、他の機器（例えばオーディオプレーヤなど）と無線通信をする際に用いるアンテナ７が、例えば中央付近（ヘッドセット１が装着された時の頭頂部の付近）に設けられている。
【００２１】
また、本体ケースには、音声認識制御ボタン５の他には電源スイッチ４だけが設けられているが、音声認識処理以外の処理の実行を指示するためのボタンを設けることができる。例えば、ヘッドセット１を無線通信によって接続されるオーディオプレーヤのリモートコントローラとして使用する場合に、早送り（ＦＦ）、巻き戻し（ＲＥＱ）、再生（ＰＬＡＹ）、停止（ＳＴＯＰ）などのボタン（図示せず）を設けることができる。
【００２２】
図２は、図１に示すヘッドセット１の機能構成を示すブロック図である。
図２に示すように、ヘッドセット１（音声認識装置）は、図１中に示すスピーカユニット２、マイクロホン３、電源スイッチ４、音声認識制御ボタン５、ＬＥＤ６、アンテナ７の他、制御部１０、音声認識処理部１２、音声認識開始要求受理部１４、音声認識中断要求受理部１６、無線通信部１８が設けられている。
【００２３】
制御部１０は、ヘッドセット１（音声認識装置）の制御を司るもので、ＣＰＵによりメモリ中に記憶された各種プログラムを実行することにより各部を制御して各種の機能を実現する。制御部１０は、音声認識開始要求受理部１４によって受理された開始要求に応じて音声認識処理部１２による音声認識処理を開始させ、また音声認識中断要求受理部１６によって受理された停止要求に応じて音声認識処理を停止させる制御を行う。また、制御部１０は、音声認識処理部１２によって音声認識処理を開始させて、入力された音声に対して音声認識が可能な状態となった際に、ユーザに対してその旨をスピーカユニット２からの音声（メッセージ）出力あるいはＬＥＤ６に対する点滅表示（あるいは点灯）によって通知する制御を行う。
【００２４】
音声認識処理部１２は、制御部１０の制御のもとで音声認識処理を実行するもので、マイクロホン３から入力された音声について認識し、ユーザの発声した内容をデータ化する。例えば、ヘッドセット１がオーディオプレーヤのリモートコントローラとして使用され、音声によって制御コマンドを入力する場合には、予め決められているコマンド音声（例えば、早送り、巻き戻し、再生、停止など）について認識することができる。
【００２５】
音声認識開始要求受理部１４は、音声認識処理部１２により音声認識処理が実行されていない時に音声認識制御ボタン５から入力された指示を、音声認識処理の開始要求として受理して制御部１０に通知する機能を持つ。
【００２６】
音声認識中断要求受理部１６は、音声認識処理部１２を実行している時に音声認識制御ボタン５から入力された指示を、音声認識処理の停止要求として受理して制御部１０に通知する機能を持つ。また、音声認識中断要求受理部１６は、音声認識処理が実行されている時に、音声認識処理以外の処理の実行が音声認識制御ボタン５以外のボタンから入力された指示、例えば電源スイッチ４からの電源オフの指示やリモートコントローラとして使用される場合の早送り、巻き戻し、再生、停止などの指示を、音声認識処理の停止要求として受理して制御部１０に通知する。
【００２７】
無線通信部１８は、制御部１０の制御もとで他の機器との通信を制御するもので、例えばアンテナ７を通じて無線信号を送受信して無線通信を実現する。無線通信部１８は、ヘッドセット１がオーディオプレーヤのリモートコントローラとして使用される場合には、オーディオプレーヤから音楽データを無線によって受信し、また動作制御ボタンから入力された指示や音声認識処理によって認識されたコマンド音声による指示を示す制御データをオーディオプレーヤに対して送信する。無線通信部１８は、例えばＢｌｕｅｔｏｏｔｈを用いて無線通信を行う。Ｂｌｕｅｔｏｏｔｈは、短距離の無線通信規格であり、２．４ＧＨｚ帯のＩＳＭ（Ｉｎｄｕｓｔｒｙ  Ｓｃｉｅｎｃｅ  Ｍｅｄｉｃａｌ）バンドを用い手通常１０ｍ以内の無線通信を実現する者である。Ｂｌｕｅｔｏｏｔｈでは、スペクトラム拡散技術として周波数ホッピング方式を用いており、最大で８台までの機器を時分割多重によって接続することができる。
【００２８】
次に、本実施形態のヘッドセット１（音声認識装置）の音声認識処理の制御動作（開始／停止）について、図３に示すフローチャートを参照しながら説明する。
【００２９】
ここでは、ヘッドセット１は、オーディオプレーヤ（図示せず）と無線通信によって音楽データを受信して再生し、スピーカユニット２から出力すると共に、オーディオプレーヤの動作を制御するリモートコントローラとして使用する場合を例にして説明する。
【００３０】
ヘッドセット１は、オーディオプレーヤの動作を制御する場合、音声によって制御コマンド、例えば予め決められているコマンド音声（早送り、巻き戻し、再生、停止など）を入力し、音声認識処理によって認識することができる。
【００３１】
音声入力によって制御コマンドを入力しようとする場合、ユーザによって音声認識制御ボタン５が押下される（ステップＡ１）。
【００３２】
音声認識制御ボタン５が押下されると、音声認識開始要求受理部１４及び音声認識中断要求受理部１６は、音声認識処理部１２によって音声認識処理が実行されているかを判定する（ステップＡ２）。
【００３３】
音声認識処理中ではないと判定された場合には（ステップＡ２、Ｎｏ）、音声認識処理開始要求受理部１４は、有効な音声認識開始要求であるかどうか判定を行う（ステップＡ４）。すなわち、音声認識開始要求受理部１４は、音声認識処理開始要求が予め定められた時間以上継続していた場合、すなわちユーザが音声認識制御ボタン５を一定時間以上押下し続けているかを判定する。
【００３４】
ここで、有効な音声認識開始要求であると判断された場合には（ステップＡ４、Ｙｅｓ）、音声認識開始要求受理部１４は、音声認識制御ボタン５から入力された指示を音声認識開始要求として受理し制御部１０に通知する。
【００３５】
制御部１０は、音声認識開始要求受理部１４からの通知に応じて音声認識処理部１２を起動して、音声認識処理を開始させる。
【００３６】
また、制御部１０は、音声認識処理部１２によって音声認識処理が可能な状態になると、スピーカユニット２あるいはＬＥＤ６によって、ユーザに対して音声認識処理が可能になったことを通知する。スピーカユニット２からは、例えば所定の音、あるいはメッセージ音声などを出力させる。また、ＬＥＤ６からは、点滅させることをによって通知する（ステップＡ５）。
【００３７】
なお、スピーカユニット２とＬＥＤ６からの通知は、何れか一方であっても良い。この場合、予めユーザからの指示によって何れから通知をするか設定できるようにして、制御部１０によって記憶させておくものとする。また、ＬＥＤ６は、点滅表示するだけでなく、点灯させるようにしたり、点滅させる際の点滅間隔を変更するといった別の表示形態を用いることも可能である。
【００３８】
一方、ユーザからの音声認識処理開始要求の継続時間が予め定められた値以下だった場合、すなわちユーザが音声認識制御ボタン５を押下し続ける時間が予め定められた値より短かった場合には、音声認識開始要求受理部１４は、この開始要求を無効として音声認識処理を開始しない（ステップＡ４、Ｎｏ）。これによりユーザの誤操作による音声認識処理の発動を回避する。
【００３９】
ユーザは音声認識制御ボタン５を押下して音声認識開始要求を行うが、ヘッドセット１が頭部に装着されるため、音声認識制御ボタン５がユーザの視界内に存在せず、ユーザは手探りで音声認識制御ボタン５を押下しなくてはならない。こうした状況であっても、ユーザからの音声認識処理開始要求が予め定められた時間以上継続していた場合に、有効な音声認識開始要求であるとして音声認識処理を開始するので、音声認識制御ボタン５に対する誤操作を回避することができる。
【００４０】
また、ユーザは、スピーカユニット２からの音声またはＬＥＤ６の点滅により音声認識処理が開始されたこと、すなわち発声開始可能になったことを認識することができる。ユーザは、音声認識開始要求を行ったタイミングと発声開始可能が通知されるタイミングが異なることによって、開始要求と発声開始を混同せずに明確に区別可能となり、発声開始タイミングの誤りを無くすことができる。すなわち、入力された音声に対する音声認識処理によって、正しくユーザが意図して発声した音声内容（コマンド音声）を認識させることができる。
【００４１】
ユーザは、発声開始可能になった通知を受け発声を開始する。ユーザの発声は音声入力部１２を介して入力され、動作可能状態となっている音声認識処理部１５によって音声認識処理が行われる。音声認識処理部１２は、入力された音声に対する音声認識処理の結果、ここでは制御コマンドを表すデータに変換して制御部１０に通知する。
【００４２】
制御部１０は、音声認識処理部１２によって得られた制御コマンドを表すデータを、無線通信部１８を通じてオーディオプレーヤに送信することで、オーディオプレーヤの動作を制御する。
【００４３】
こうして、音声認識処理部１２により音声認識処理が開始された後、音声認識制御ボタン５が押下されると（ステップＡ１）、音声認識開始要求受理部１４及び音声認識中断要求受理部１６は、音声認識処理部１２によって音声認識処理が実行されているかを判定する（ステップＡ２）。
【００４４】
音声認識処理中であると判定された場合には、音声認識中断要求受理部１６は、音声認識制御ボタン５から入力された指示を音声認識停止要求として受理し制御部１０に通知する（ステップＡ２、Ｎｏ）。
【００４５】
制御部１０は、音声認識中断要求受理部１６からの通知に応じて音声認識処理部１２による音声認識処理を停止させる（ステップＡ３）。
【００４６】
こうして、１つの音声認識制御ボタン５から音声認識処理を開始させるだけでなく、音声認識処理を停止させることができる。これにより、ヘッドセット１（音声認識装置）の寸法、及び性能上の制約からユーザインタフェースが限られている場合であっても、音声認識処理を行っている時に音声認識制御ボタン５から入力される指示については音声認識停止要求として受理することができる。ユーザは、音声認識処理を制御するためのボタンとして音声認識制御ボタン５の位置だけを覚えておけば良いので操作性の向上を図ることができる。
【００４７】
次に、音声認識処理以外の操作により音声認識処理を停止させる動作制御について、図４に示すフローチャートを参照しながら説明する。
【００４８】
図３のフローチャートに示す動作制御では、音声認識制御ボタン５によって音声認識処理の動作を停止させているが、音声認識処理以外の処理の実行指示によっても音声認識処理を停止できるようにする。
【００４９】
音声認識中断要求受理部１６は、ヘッドセット１に設けられたボタンなどがユーザにより操作されることで（ステップＢ１）、音声認識制御ボタン５以外から何らかの処理の実行指示が入力された場合、音声認識処理部１２によって音声認識処理が実行されているかを判定する（ステップＢ２）。例えば電源スイッチ４からの電源オフの指示やヘッドセット１がリモートコントローラとして使用される場合の早送り、巻き戻し、再生、停止などの指示がある。
【００５０】
ここで、音声認識処理が実行されていない場合には（ステップＢ２，Ｎｏ）、音声認識中断要求受理部１６は、何らの処理も実行しない。制御部１０は、入力された指示に応じた処理、例えば電源スイッチ４が操作された場合には、電源オフのための処理、また早送り、巻き戻し、再生、停止などのボタンが操作された場合には、これらのコマンドに応じた制御データをオーディオプレーヤに対して送信する（ステップＢ４）。
【００５１】
一方、音声認識中断要求受理部１６は、音声認識処理以外の処理の実行が音声認識制御ボタン５以外のボタンから入力された時に、音声認識処理が実行されている場合には（ステップＢ２，Ｙｅｓ）、入力れた指示を音声認識処理の停止要求として受理して制御部１０に通知する。
【００５２】
制御部１０は、音声認識中断要求受理部１６からの通知に応じて音声認識処理部１２による音声認識処理を停止させる（ステップＢ３）。その後、制御部１０は、入力された指示に応じた本来の操作に割り当てられた処理を実行する（ステップＢ４）。
【００５３】
このようにして、音声認識制御ボタン５に対する操作だけでなく、他の処理を実行させるための操作によって音声認識処理を停止させることが可能となる。これで、処理中の音声認識処理を停止して他の操作を行いたい場合には、音声認識停止要求を別途行わなくても音声認識以外の他の操作を行うことで、音声認識停止も自動で行われる。これによりユーザ操作の手間を軽減することができる。
【００５４】
なお、前述した説明では、ヘッドセット１をオーディオプレーヤのリモートコントローラとして使用する例をあげているが、ヘッドセット１の本体にオーディオ再生機能を搭載して、このオーディオ再生機能の動作制御に音声認識処理を利用するものとしても良い。オーディオ再生機能は、例えばＳＤ（Ｓｅｃｕｒｅ  ｄｉｇｉｔａｌ）カードを装着するためのスロットを設け、このスロットに装着されたＳＤカードに記録された音楽データを読み出して再生する。
【００５５】
また、オーディオプレーヤの動作を制御するためのコマンド音声について音声認識処理する場合について説明しているが、コマンド音声以外の入力音声に対して音声認識処理を実行する場合に適用することも勿論可能である。
【００５６】
また、前述した実施形態では、音声認識処理が開始された際に、ＬＥＤ６による点滅表示によってユーザに対して、コマンド音声の入力が可能になったことを通知しているが、ヘッドセット１のスピーカユニット２と同じ本体ケースにＬＣＤ（Ｌｉｑｕｉｄ  Ｃｒｙｓｔａｌ  Ｄｉｓｐｌａｙ）などによる表示装置を設け、この表示装置において所定のメッセージを表示させることによって通知しても良い。また、本発明による音声認識装置をマイクロホンを設けたヘッドマウントディスプレイとして構成し、表示装置（ディスプレイ）において、音声認識処理が開始されたことを通知するメッセージの他、各種のメッセージを表するようにしても良い。
【００５７】
また、前述した説明では、音声認識処理が開始されたことを通知するためのＬＥＤ６を本体ケース（例えば左側用）に設けるものとしているが、マイクロホン３と共にマイク支持部材の先端部に設けるようにしても良い。これにより、ＬＥＤ６を確実にユーザの視界に入れることができるようになり、ＬＥＤ６を点滅（あるいは点灯）させて音声認識処理が開始されたことを確実に通知することができるようになる。
【００５８】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に提供することができる。また、通信媒体により伝送して各種装置に提供することも可能である。本装置を実現するコンピュータは、記録媒体に記録されたプログラムを読み込み、または通信媒体を介してプログラムを受信し、このプログラムによって動作が制御されることにより、上述した処理を実行する。
【００５９】
また、本願発明は、前述した実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態に示される全構成要件から幾つかの構成要件が削除されても効果が得られる場合には、この構成要件が削除された構成が発明として抽出され得る。
【００６０】
【発明の効果】
以上詳述したように本発明によれば、音声認識処理を制御する指示を入力するための指示入力手段からの入力だけで音声認識処理の開始あるいは停止をさせるので、簡単な操作により音声認識処理を制御することが可能となる。また、指示入力手段から予め定められた時間、継続して指示が入力されている場合に開始要求を受理するので、確実な制御が実現される。
【図面の簡単な説明】
【図１】本実施形態における音声認識装置をヘッドセットとして構成した場合の外観構成の一例を示す図。
【図２】本実施形態における音声認識装置の機能構成を示すブロック図。
【図３】音声認識開始／停止の動作説明フローチャート。
【図４】音声認識以外の操作による音声認識停止の動作説明フローチャート。
【符号の説明】
１…ヘッドセット、３…マイクロホン、４…電源スイッチ、５…音声認識制御ボタン、６…ＬＥＤ、７…アンテナ、１０…制御部、１２…音声認識処理部、１４…音声認識開始要求受理部、１６…音声認識停止要求受理部、１８…無線通信部。
【図１】
2004233794.tif 000003
【図２】
2004233794.tif 000004
【図３】
2004233794.tif 000005
【図４】
2004233794.tif 000006